(57)【特許請求の範囲】
【請求項１】
商品を陳列するボードであって、商品の陳列に必要な所定の表面積を有する平板状のボード本体を備え、前記ボード本体に該ボード本体の天面の全域に亘り通気を兼ねた陳列用品取付用の係合穴が所定の間隔で多数形成されており、
前記係合穴は所定長さのスリット状をなし、このスリット状の係合穴が前記ボード本体の天面にマトリックス状に配列されており、
前記スリット状係合穴は前記ボード本体の裏面へ貫通され、かつボード本体の天面から裏面に行くにしたがい拡大された形状にしたことを特徴とする商品陳列用ボード。
【請求項２】
商品を陳列するボードであって、商品の陳列に必要な所定の表面積を有する平板状のボード本体を備え、前記ボード本体に該ボード本体の天面の全域に亘り通気を兼ねた陳列用品取付用の係合穴が所定の間隔で多数形成されており、
前記係合穴は所定長さのスリット状をなし、このスリット状の係合穴が前記ボード本体の天面にマトリックス状に配列されており、
前記スリット状係合穴は前記ボード本体の裏面へ貫通され、かつボード本体の天面開口の下方近傍からホード本体の裏面に達する箇所に、天面側スリット状の溝幅より大きい幅を有する空洞を形成したことを特徴とする商品陳列用ボード。
【請求項３】
商品を陳列するボードであって、商品の陳列に必要な所定の表面積を有する平板状のボード本体を備え、前記ボード本体に該ボード本体の天面の全域に亘り通気を兼ねた陳列用品取付用の係合穴が所定の間隔で多数形成されており、
前記係合穴は前記ボード本体の一方の辺の全長に亘り延在するスリット状の溝から構成され、このスリット状の溝は前記ボード本体の他方の辺の方向に所定の間隔で多数平行に配列されており、
前記スリット状溝の溝幅は前記ボード本体の天面から裏面方向に行くにしたがい拡大され、かつ前記スリット状溝の底部は一部を残して裏面に開口されていることを特徴とする商品陳列用ボード。
【請求項４】
前記陳列用品は前記ボード本体上に陳列される商品の転び止め板、仕切板、載置板であり、これらの陳列用品は前記係合穴に係合することにより前記ボード本体に保持され、かつ前記ボード本体の天面を陳列される商品に応じて複数の領域に区画できるように構成されていることを特徴とする請求項１〜３のいずれか１項に記載の商品陳列用ボード。
【請求項５】
前記スリット状係合穴の内壁面または前記スリット状溝の内壁面に前記陳列用品を案内するリブが形成されていることを特徴とする請求項１〜４のいずれか１項に記載の商品陳列用ボード。
【請求項６】
前記ボード本体の前後及び左右の少なくとも一方の両端に、隣接するボード本体同士をその天面が一致するように連結する連結機構が設けられていることを特徴とする請求項１〜５のいずれか１項に記載の商品陳列用ボード。
【発明の詳細な説明】
【０００１】
【発明の属する技術分野】
本発明は、青果物等の商品を冷ケースやワゴン等に陳列する時に使用する商品陳列用ボードに関し、さらに詳しくは、商品を陳列する底板（スノコ）、背板、傾斜板などとして使用するとともに、転び止めや仕切等の陳列用品が組み付けることが可能な商品陳列用ボードに関するものである。
【０００２】
【従来の技術】
スーパーなどにおける青果用冷ケースやワゴン等において、オレンジやリンゴ等の丸物商品、ねぎやごぼう等の長物商品又はほうれん草やサラダ菜等の葉物商品などを陳列するに際しては、冷ケースやワゴン等を構成する陳列枠体に底板（棚板）を取り付け、この底板上に商品を載置することにより商品を陳列し、あるいは底板上に仕切板を載置することにより、底板上の商品を種別ごとに整理して陳列したり、また、陳列商品にボリューム感を持たせるとともに商品の見栄えをよくするために、底板自体を傾斜して取り付けたり、またはアンコと称するボリュームアップ用部材を底板上にセットし、このボリュームアップ用部材に葉物商品など商品を立て掛け状態に載せて陳列するようにしている。これにより、商品陳列をきれいに、かつ効果的に演出し、消費者の購買意欲を高めるようにしている。
【０００３】
【発明が解決しようとする課題】
しかし、上記のような従来の商品陳列に使用される底板は、冷ケースやワゴン等を構成する陳列枠体に適合した専用の形状及び大きさに形成されているため、陳列枠体の形態が変更されたり、異なってくると、これらに適合した形状及び大きさの異なる種々の底板を用意しておかなければならず、コスト高になるという問題がある。また、従来における商品陳列用の底板は、商品を載せて陳列することを基本としているため、底板の使用形態が限定されてしまう。例えば底板を鉛直に配置し、この底板の前面に商品載置板を取り付けて商品を陳列するとか、あるいは底板を傾斜状態に配置してオレンジ等の商品を階段状に陳列しようとしても、これらの商品陳列は不可能であり、汎用性に欠けるという不具合があった。
【０００４】
本発明は上記のような従来の問題を解決するためになされたもので、本発明の目的は、商品の陳列形態に応じた種々の使用形態に適用できるとともに、転び止めや仕切等の陳列用品の組み付けを可能にし、併せて塵埃の滞留しにくい、かつ通気性の良好な商品陳列用ボードを提供することにある。
【０００５】
【課題を解決するための手段】
上記目的を達成するために本発明は、商品を陳列するボードであって、商品の陳列に必要な所定の表面積を有する平板状のボード本体を備え、前記ボード本体に該ボード本体の天面の全域に亘り通気を兼ねた陳列用品取付用の係合穴が所定の間隔で多数形成されており、前記係合穴は所定長さのスリット状をなし、このスリット状の係合穴が前記ボード本体の天面にマトリックス状に配列されており、前記スリット状係合穴は前記ボード本体の裏面へ貫通され、かつ該スリット状係合穴はボード本体の天面から裏面に行くにしたがい拡大された形状にしたことを特徴とする。
また、本発明は、商品を陳列するボードであって、商品の陳列に必要な所定の表面積を有する平板状のボード本体を備え、前記ボード本体に該ボード本体の天面の全域に亘り通気を兼ねた陳列用品取付用の係合穴が所定の間隔で多数形成されており、前記係合穴は所定長さのスリット状をなし、このスリット状の係合穴が前記ボード本体の天面にマトリックス状に配列されており、前記スリット状係合穴は前記ボード本体の裏面へ貫通され、かつボード本体の天面開口の下方近傍からホード本体の裏面に達する箇所に、天面側スリット状の溝幅より大きい幅を有する空洞を形成したことを特徴とする。
また、本発明は、商品を陳列するボードであって、商品の陳列に必要な所定の表面積を有する平板状のボード本体を備え、前記ボード本体に該ボード本体の天面の全域に亘り通気を兼ねた陳列用品取付用の係合穴が所定の間隔で多数形成されており、前記係合穴は前記ボード本体の一方の辺の全長に亘り延在するスリット状の溝から構成され、このスリット状の溝は前記ボード本体の他方の辺の方向に所定の間隔で多数平行に配列されており、前記スリット状溝の溝幅は前記ボード本体の天面から裏面方向に行くにしたがい拡大され、かつ前記スリット状溝の底部は一部を残して裏面に開口されていることを特徴とする。
【０００６】
また、本発明は、前記陳列用品は前記ボード本体上に陳列される商品の転び止め板、仕切板、載置板であり、これらの陳列用品は前記係合穴に係合することにより前記ボード本体に保持され、かつ前記ボード本体の天面を陳列される商品に応じて複数の領域に区画できるように構成されていることを特徴とする。また、本発明は、前記スリット状係合穴の内壁面または前記スリット状溝の内壁面に前記陳列用品を案内するリブが形成されていることを特徴とする。本発明はまた、前記ボード本体の前後及び左右の少なくとも一方の両端に、隣接するボード本体同士をその天面が一致するように連結する連結機構が設けられていることを特徴とする。
【０００７】
本発明においては、商品陳列ボードが商品の陳列に必要な所定の表面積を有する平板状のボード本体から構成されているため、このボード本体を冷ケースやワゴンなどにおける商品陳列用の底板、背板、傾斜板などとして使用でき、ボード本体の汎用性が向上し、商品の陳列形態に応じた種々の使用形態に応用できる。
また、本発明においては、ボード本体にその天面の全域に亘り係合穴を所定の間隔で形成されていることにより、この係合穴を利用して仕切板は転び止め板などを取り付けることができ、これによって、ボード本体の天面を陳列商品に合わせて区画できるとともに、ボード本体を商品の陳列形態に応じて種々の使用形態に変更でき、かつボード本体自体の通気性を良好にできる。
また、本発明においては、係合穴をスリット状の穴またはスリット状の溝から構成され、かつこれら係合穴をボード本体の天面から裏面に行くにしたがい拡大された形状にすることにより、係合穴の塵埃による詰まりをなくし、係合穴の掃除も容易になる。
また、本発明においては、ボード本体の連結機構を利用して、隣接するボード本体同士を連結することにより、商品陳列用ボードの面積を前後及び左右方向に拡大することができ、これに伴い、商品陳列用ボードの面積を商品の陳列形態に合わせて変更することができる。
【０００８】
【発明の実施の形態】
本発明の実施の形態について、図１〜図１６を参照して説明する。
まず、図１〜図６により本発明の第１の実施の形態について述べる。図１は本発明の第１の実施の形態における商品陳列用ボードの斜視図、図２は図１のＡ−Ａ線に沿う係合穴部分の一例を示す拡大断面図、図３は本発明における係合穴部分の他の例を示す拡大断面図、図４は本発明における係合穴部分の更に他の例を示す拡大断面図、図５は本発明の第１の実施の形態における商品陳列用ボードの使用例を示す陳列用品及び該陳列用品をボード本体に組み付けた状態の斜視図、図６は本発明の第１の実施の形態における商品陳列用ボードの他の使用例を示す陳列用品及び該陳列用品をボード本体に組み付けた状態の斜視図である。
【０００９】
図１において、商品陳列用ボード１０は、商品の陳列に必要な所定の表面積を有する長方形で平板状の合成樹脂製ボード本体１０１を備える。このボード本体１０１には、所定長さのスリット状の係合穴１０２がボード本体１０１の天面全域に亘り、ボード本体１０１の縦・横方向に所定の間隔でマトリックス状に配列された状態に多数形成されている。このスリット状の係合穴１０２は、ボード本体１０１に通気機能を与えるとともに、図２〜図４に示す陳列用品１１が係脱可能に差し込み得る構成になっている。
【００１０】
また、上記スリット状の係合穴１０２は、図２に示すように、ボード本体１０１の天面（表面）から裏面へ貫通される構造になっており、そして、このスリット状係合穴１０２は、そのボード本体１０１の天面側開口１０２Ａが陳列用品１１の板厚に対応する間隔Ａのスリット状の長穴になっているとともに、この天面側開口１０２Ａからボード本体１０１の裏面に行くにしたがい間隔Ｂが略逆Ｖ字状に拡大された形状になっている。このような形状のスリット状係合穴１０２とすることにより、係合穴１０２に塵埃が溜ったり、詰まったりするのをなくし、かつ係合穴１０２の掃除が容易にできるようになっている。
【００１１】
図３は、上記スリット状係合穴１０２の変形例を示すもので、この図３においては、スリット状係合穴１０２のボード本体天面側開口１０２Ａを陳列用品１１の板厚に対応する間隔Ａのスリット状の長穴にするとともに、この天面側開口１０２Ａの下方近傍からボード本体１０１の裏面に達する箇所に、天面側開口１０２Ａの間隔Ａより十分大きい間隔Ｂを有する空洞１０３を形成するようにしたものである。
この変形例においても、上記図２に示す場合同様な作用効果が得られる。
【００１２】
図４は、上記スリット状係合穴１０２の他の変形例を示すもので、この図４においては、スリット状係合穴１０２のボード本体天面側開口１０２Ａを陳列用品１１の板厚に対応する間隔Ａのスリット状の長穴にするとともに、この天面側開口１０２Ａの下方近傍からボード本体１０１の裏面に達する箇所の相対向する一方の側面１０２Ｂを斜めにカットすることにより、天面側開口１０２Ａの面積より大きい面積の空洞１０４を形成するようにしたものである。
この他の変形例においても、上記図２に示す場合同様な作用効果が得られる。
【００１３】
次に、本発明の第１の実施の形態における商品陳列用ボード１０の使用例について図５を参照して説明する。図５において、同図（Ａ）に示す陳列用品は、同図（Ｂ）に示すボード本体１０１の長尺方向の寸法に相当する長さの透明アクリル材等からなる短冊状の転び止め板１１１を構成し、この転び止め板１１１の下端縁には、ボード本体１０１の長尺方向に配列された各スリット状係合穴１０２に係脱可能に差し込まれる係合片１１１Ａが転び止め板１１１の長手方向にスリット状係合穴１０２の間隔と同一の間隔で多数形成されている。
【００１４】
上記転び止め板１１１は、その係合片１１１Ａをボード本体１０１の長尺方向に配列された各スリット状係合穴１０２に差し込むことにより、図５の（Ｂ）に示すようにボード本体１０１に対し鉛直な姿勢に取り付けられる。
そして、商品陳列用ボード１０を水平面に対して所定の角度θ傾斜させた状態で青果等の商品を陳列する場合は、図５の（Ｂ）に示すように、複数枚の転び止め板１１１を所定の間隔をおいてボード本体１０１に取り付け、この各転び止め板１１１の上面側に位置するボード本体１０１上に商品を載置することにより、傾斜する商品陳列用ボード１０上に商品を転落させることなく陳列することができる。この場合、ボリューム感のある商品陳列が可能になる。
【００１５】
次に、本発明の第１の実施の形態における商品陳列用ボード１０の他の使用例について図６を参照して説明する。図６において、同図（Ａ）に示す陳列用品は、同図（Ｂ）に示すボード本体１０１の長尺方向の寸法に相当する長さ、またはその１／２の長さ寸法に相当する長さの透明アクリル材等からなる転び止め板１１２を構成し、この転び止め板１１２は略Ｖ字状に折り曲げ加工することにより形成される水平な商品載置片１１２Ａと支持片１１２Ｂを有し、支持片１１２Ｂの下端縁には、ボード本体１０１の長尺方向に配列された各スリット状係合穴１０２に係脱可能に差し込まれる係合片１１２Ｃが転び止め板１１２の長手方向にスリット状係合穴１０２の間隔と同一の間隔で多数形成されている。
【００１６】
上記転び止め板１１２は、その係合片１１２Ｃをボード本体１０１の長尺方向に配列された各スリット状係合穴１０２に差し込むことにより、図６の（Ｂ）に示すようにボード本体１０１に取り付けられる。この時、商品載置片１１２Ａの下端縁はボード本体１０１の天面に接触した状態におかれる。そして、商品陳列用ボード１０を水平面に対して所定の角度θ傾斜させた状態で青果等の商品を陳列する場合は、図６の（Ｂ）に示すように、長尺の転び止め板１１２をボード本体１０１の最下端箇所に取り付け、更に、ボード本体１０１を左右に２等分して、この各領域のボード本体１０１には複数枚の短尺の転び止め板１１２を陳列される商品のサイズに対応する所定の間隔で平行に取り付ける。これにより、ボード本体１０１の天面は複数の領域に区画され、かつ各転び止め板１１２の商品載置片１１２Ａは水平な姿勢に保持される。この状態で、各転び止め板１１２の商品載置片１１２Ａの上面上に商品を載置することにより、傾斜する商品陳列用ボード１０上に商品を転落させることなく陳列することができる。この場合、ボリューム感のある商品陳列が可能になるほか、同一の商品陳列用ボード１０上に種類の異なる商品を整理して陳列することができる。
【００１７】
次に、図７〜図１３により本発明の第２の実施の形態について述べる。図７は本発明の第２の実施の形態における商品陳列用ボードの斜視図、図８は本発明の第２の実施の形態における商品陳列用ボードの一部を切り欠いて示す斜視図、図９は本発明の第２の実施の形態における商品陳列用ボードの変形例を示す一部切欠きの斜視図、図１０は図９における要部の拡大断面図、図１１は本発明の第２の実施の形態における商品陳列用ボードの使用例を示す陳列用品及び該陳列用品をボード本体に組み付けた状態の斜視図、図１２は本発明の第２の実施の形態における商品陳列用ボードの他の使用例を示す陳列用品及び該陳列用品をボード本体に組み付けた状態の斜視図、図１３は本発明の第２の実施の形態における商品陳列用ボードの更に他の使用例を示す陳列用品及び該陳列用品をボード本体に組み付けた状態の斜視図である。
【００１８】
図７において、商品陳列用ボード２０は、商品の陳列に必要な所定の表面積を有する長方形で平板状の合成樹脂製ボード本体２０１を備える。このボード本体２０１には、ボード本体２０１の長尺方向の全長に亘り延在するスリット状の溝からなる係合穴２０２がボード本体２０１の短尺方向に所定の間隔で多数平行に形成されている。このスリット状の溝からなる係合穴２０２は、ボード本体２０１に通気機能を与えるとともに、図１０に示す陳列用品２１が係脱可能に差し込み得る構成になっている。
【００１９】
また、上記スリット状溝からなる係合穴２０２の幅はボード本体２０１の天面から裏面方向に行くにしたがい拡大され、そして、このスリット状溝からなる係合穴２０２の底部は、図８に示すように、その一部を連結部２０３として部分的に残した状態でボード本体２０１の裏面に開口されている。このような形状の係合穴２０２とすることにより、係合穴２０２に塵埃が溜ったり、詰まったりするのをなくし、かつ係合穴２０２の掃除が容易にできるようのなっている。また、図９及び図１０に示すように、各連結部２０３間に位置するスリット状溝からなる係合穴２０２の相対向する内壁面には、係合穴２０２に差し込まれる陳列用品２１を案内するリブ２０４が形成されている。
【００２０】
次に、本発明の第２の実施の形態における商品陳列用ボード２０の使用例について図１１を参照して説明する。図１１において、同図（Ａ）に示す陳列用品は、同図（Ｂ）に示すボード本体２０１の長尺方向の寸法に相当する長さの透明アクリル材等からなる短冊状の転び止め板２１１を構成し、この転び止め板２１１の下端縁部をスリット状溝からなる係合穴２０２に差し込むことにより、転び止め板２１１は図１１の（Ｂ）に示すようにボード本体２０１に対し鉛直な姿勢に取り付けられる。そして、商品陳列用ボード２０を水平面に対して所定の角度θ傾斜させた状態で青果等の商品を陳列する場合は、図１１の（Ｂ）に示すように、複数枚の転び止め板２１１を所定の間隔をおいてボード本体２０１に取り付け、この各転び止め板２１１の上面側に位置するボード本体２０１上に商品を載置することにより、傾斜する商品陳列用ボード２０上に商品を転落させることなく陳列することができる。この場合、ボリューム感のある商品陳列が可能になる。
【００２１】
次に、本発明の第２の実施の形態における商品陳列用ボード２０の他の使用例について図１２を参照して説明する。図１２において、同図（Ａ）に示す陳列用品は、同図（Ｂ）に示すボード本体２０１の長尺方向の寸法に相当する長さ、またはその１／２の長さ寸法に相当する長さの透明アクリル材等からなる転び止め板２１２を構成し、この転び止め板２１２は略Ｖ字状に折り曲げ加工することにより形成される水平な商品載置片２１２Ａと支持片２１２Ｂを有している。
【００２２】
このような構成の転び止め板２１２は、その支持片２１２Ｂの下端縁部をボード本体２０１の長尺方向に配列された各スリット状溝からなる係合穴２０２に差し込むことにより、図１２の（Ｂ）に示すようにボード本体２０１に取り付けられる。この時、商品載置片２１２Ａの下端縁はボード本体２０１の天面に接触した状態におかれる。そして、商品陳列用ボード２１０を水平面に対して所定の角度θ傾斜させた状態で青果等の商品を陳列する場合は、図１２の（Ｂ）に示すように、複数枚の転び止め板２１２を所定の間隔をおいてボード本体２０１に取り付ける。この時の各転び止め板２１２の商品載置片２１２Ａは水平な姿勢に保持される。かかる状態で、各転び止め板２１２の商品載置片２１２Ａの上面上に商品を載置することにより、傾斜する商品陳列用ボード２０上に商品を転落させることなく陳列することができる。この場合、ボリューム感のある商品陳列が可能になる。
【００２３】
次に、本発明の第２の実施の形態における商品陳列用ボード２０の更に他の使用例について図１３を参照して説明する。図１３において、同図（Ａ）に示す陳列用品は、同図（Ｂ）に示すボード本体２０１の短尺方向の寸法に相当する長さの透明アクリル材等からなる縦仕切板２１５を構成し、この縦仕切板２１５の下端縁にはボード本体２０１の係合穴２０２に係合される突起２１５Ａが形成されている。また、図１３の（Ｂ）において、ボード本体２０１の長尺方向の寸法の１／３以下の長さに相当する陳列用品は、透明アクリル材等からなる横仕切板２１６を構成している。
【００２４】
このような縦仕切板２１５及び横仕切板２１６を用いてボード本体２０１の商品陳列領域を商品の種類等により区画する場合は、例えば図１３（Ｂ）に示すように、ボード本体２０１の長尺方向の両端箇所とボード本体２０１の天面を長尺方向に３等分する箇所に縦仕切板２１５をボード本体２０１の短尺方向に延在して配置し、この各縦仕切板２１５の突起２１５Ａを係合穴２１２に差し込むことにより縦仕切板２１５をボード本体２０１に取り付ける。そして、縦仕切板２１５で区画された各領域のボード本体２０１には、複数枚の横仕切板２１６を陳列される商品のサイズに対応する所定の間隔で平行に取り付ける。これにより、ボード本体２０１の天面は複数の商品陳列領域に区画される。この状態で、各横仕切板２１６と各縦仕切板２１５で区画された各商品陳列領域内に商品を入れることにより、傾斜する商品陳列用ボード２０上に商品を転落させることなく陳列することができる。この場合、ボリューム感のある商品陳列が可能になるほか、同一の商品陳列用ボード２０上に種類の異なる商品を整理して陳列することができる。
【００２５】
次に、図１４〜図１６により本発明の第３の実施の形態における商品陳列用ボードについて説明する。図１４は本発明の第３の実施の形態における商品陳列用ボードの斜視図、図１５は図１４のＢ部分における連結機構を拡大して示す斜視図、図１６は図１４のＣ部分における連結機構を拡大して示す斜視図である。図１４において、ボード本体２０１の長尺方向（左右方向）の両端と、ボード本体２０１の短尺方向（前後方向）の両端には、隣接するボード本体２０１同士をその天面が同一平面となるように連結する連結機構３１、３２がそれぞれ設けられいる。
【００２６】
上記連結機構３１は、隣接するボード本体２０１同士を短尺方向（前後方向）に連結するもので、図１５に示すように、ボード本体２０１の短尺方向の一方の端面にボード本体２０１の長尺方向に所定の間隔で設けた複数のＬ字状係止部３１１と、ボード本体２０１の短尺方向の他方の端面にボード本体２０１の長尺方向に所定の間隔で設けた複数の逆Ｌ字状係止部３１２とから構成され、ボード本体２０１のＬ字状係止部３１１に、隣接するボード本体２０１の逆Ｌ字状係止部３１２を係合することにより、ボード本体２０１同士をその天面が一致する状態に連結することができる。また、上記連結機構３２は、隣接するボード本体２０１同士を長尺方向（左右方向）に連結するもので、図１６に示すように、ボード本体２０１の長尺方向の一方の端面にボード本体２０１の短尺方向に所定の間隔で設けた複数の凸部３２１と、ボード本体２０１の長尺方向の他方の端面にボード本体２０１の短尺方向に所定の間隔で設けた複数の凹部３２２とから構成され、ボード本体２０１の凸部３２１を、隣接するボード本体２０１の凹部３２２に係合することにより、ボード本体２０１同士をその天面が一致する状態に連結することができる。
【００２７】
上記のような本発明の第３の実施の形態によれば、連結機構３１、３２を利用して隣接するボード本体２０１同士を連結することにより、商品陳列用ボードの面積を前後及び左右方向に拡大することができ、これに伴い、商品陳列用ボードの面積を商品の陳列形態に合わせて変更することができる。
【００２８】
なお、上記第１の実施の形態では、係合穴１０２の内壁面に案内用のリブを有しない場合について説明したが、本発明はこれに限らず、係合穴１０２の内壁面に案内用のリブを設けるようにしてもよい。
また、本発明においては、第１の実施の形態に示す商品陳列用ボード１０にも上記第３の実施の形態に示すような連結機構を設けるようにしてもよい。
また、本発明における商品陳列用ボード１０、２０の使用形態は、図５、図６及び図１１〜図１３に示す使用例のものに限らず、商品陳列用ボード１０、２０をワゴンなどの商品陳列用底板として適用できるほか、陳列商品の背板などとしても利用することができる。
また、本発明における陳列用品取付用の係合穴１０２、２０２は、上記実施の形態に示すスリット状のもの、またはスリット状の溝に限らず、転び止めや仕切等の陳列用品が金属線で構成される場合は、その係合穴を丸穴、楕円穴などとしてもよい。
また、本発明における連結機構３１、３２は、上記図１４〜図１６に示す構成のものに限定されないことは勿論である。
【００２９】
【発明の効果】
以上説明したように本発明によれば、商品陳列ボードが商品の陳列に必要な所定の表面積を有する平板状のボード本体から構成されているため、このボード本体を冷ケースやワゴンなどにおける商品陳列用の底板、背板、傾斜板などとして使用でき、ボード本体の汎用性が向上し、商品の陳列形態に応じた種々の使用形態に応用できる。
また、本発明によれば、ボード本体にその天面の全域に亘り係合穴を所定の間隔で形成されていることにより、この係合穴を利用して仕切板は転び止め板などを取り付けることができ、これによって、ボード本体の天面を陳列商品に合わせて区画できるとともに、ボード本体を商品の陳列形態に応じて種々の使用形態に変更でき、かつボード本体自体の通気性を良好にできる。
また、本発明によれば、係合穴をスリット状の穴またはスリット状の溝から構成し、かつこれら係合穴をボード本体の天面から裏面に行くにしたがい拡大された形状にすることにより、係合穴の塵埃による詰まりをなくし、係合穴の掃除も容易になる。
また、本発明によれば、ボード本体の連結機構を利用して、隣接するボード本体同士を連結することにより、商品陳列用ボードの面積を前後及び左右方向に拡大することができ、これに伴い、商品陳列用ボードの面積を商品の陳列形態に合わせて変更することができる。
【図面の簡単な説明】
【図１】本発明の第１の実施の形態における商品陳列用ボードの斜視図である。
【図２】図１のＡ−Ａ線に沿う係合穴部分の一例を示す拡大断面図である。
【図３】本発明における係合穴部分の他の例を示す拡大断面図である。
【図４】本発明における係合穴部分の更に他の例を示す拡大断面図である。
【図５】本発明の第１の実施の形態における商品陳列用ボードの使用例を示す陳列用品及び該陳列用品をボード本体に組み付けた状態の斜視図である。
【図６】本発明の第１の実施の形態における商品陳列用ボードの他の使用例を示す陳列用品及び該陳列用品をボード本体に組み付けた状態の斜視図である。
【図７】本発明の第２の実施の形態における商品陳列用ボードの斜視図である。
【図８】本発明の第２の実施の形態における商品陳列用ボードの一部を切り欠いて示す斜視図である。
【図９】本発明の第２の実施の形態における商品陳列用ボードの変形例を示す一部切欠きの斜視図である。
【図１０】図９における要部の拡大断面図である。
【図１１】本発明の第２の実施の形態における商品陳列用ボードの使用例を示す陳列用品及び該陳列用品をボード本体に組み付けた状態の斜視図である。
【図１２】本発明の第２の実施の形態における商品陳列用ボードの他の使用例を示す陳列用品及び該陳列用品をボード本体に組み付けた状態の斜視図である。
【図１３】本発明の第２の実施の形態における商品陳列用ボードの更に他の使用例を示す陳列用品及び該陳列用品をボード本体に組み付けた状態の斜視図である。
【図１４】本発明の第３の実施の形態における商品陳列用ボードの斜視図である。
【図１５】図１４のＢ部分における連結機構を拡大して示す斜視図である。
【図１６】図１４のＣ部分における連結機構を拡大して示す斜視図である。
【符号の説明】
１０、２０  商品陳列用ボード
１０１  ボード本体
１０２、２０２  係合穴
１１１、１１２  転び止め板
２０４  リブ
２１１  ２１２  転び止め板
２１５  縦仕切板
２１６  横仕切板
３１、３２  連結機構
【図１】
0004518348.tif 000002
【図２】
0004518348.tif 000003
【図３】
0004518348.tif 000004
【図４】
0004518348.tif 000005
【図５】
0004518348.tif 000006
【図６】
0004518348.tif 000007
【図７】
0004518348.tif 000008
【図８】
0004518348.tif 000009
【図９】
0004518348.tif 000010
【図１０】
0004518348.tif 000011
【図１１】
0004518348.tif 000012
【図１２】
0004518348.tif 000013
【図１３】
0004518348.tif 000014
【図１４】
0004518348.tif 000015
【図１５】
0004518348.tif 000016
【図１６】
0004518348.tif 000017